(57)【要約】【課題】各印刷データをその種類に応じて最適な状態で記憶部に保存する。【解決手段】ディジタル複写機１のＣＰＵ１１３は、ＰＣ２から出力された印刷データをハードディスク１１５に格納し、操作パネルにおけるプリントスイッチの操作を待って印刷処理を実行する。ＣＰＵ１１３は、印刷処理に係る印刷データが、出力結果を店員に１回のみ提供すべき業務用印刷データである場合には、その印刷データを印刷処理後にハードディスク１１５から消去する。ＣＰＵ１１３は、印刷処理に係る印刷データが、出力結果を顧客に繰り返し提供すべきサービス用印刷データである場合には、その印刷データを印刷処理後にハードディスク１１５に継続して保存する。【選択図】図１
2005349642.tif 000002
【特許請求の範囲】
【請求項１】
印刷データの種類を特定する種別情報、及び、印刷データを特定するための認証情報の入力を受け付ける出力装置側入力部を備え、該出力装置側入力部において入力された種別情報及び認証情報とともに印刷データを出力する出力装置と、
前記出力装置から入力された印刷データを認証情報とともに記憶する記憶部、認証情報の入力操作を受け付ける印刷装置側入力部、及び、印刷データに基づいて印刷媒体に対する印刷処理を行う印刷部を備え、前記印刷装置側入力部において入力された認証情報に対応する印刷データを前記記憶部から読み出して前記印刷部に供給するとともに、印刷処理を終了した印刷データについて前記種別情報に基づいて前記記憶部から消去する処理、又は、前記記憶部に保存する処理を選択的に実行する印刷装置と、
を含むことを特徴とする印刷システム。
【請求項２】
前記記憶部に保存する処理をともなう印刷処理について課金処理を行う課金処理装置を含み、
前記印刷装置は、前記課金処理装置における課金処理が完了した後に、前記記憶部に保存する処理をともなう印刷処理を実行することを特徴とする請求項１に記載の印刷システム。
【請求項３】
出力装置側入力部において入力された印刷データの種類を特定する種別情報、及び、印刷データを特定するための認証情報を印刷データとともに出力装置から印刷装置に出力し、
印刷装置が、前記出力装置から入力された印刷データを認証情報とともに記憶部に記憶し、印刷装置側入力部において入力された認証情報に対応する印刷データを前記記憶部から読み出して前記印刷部に供給するとともに、印刷処理を終了した印刷データについて前記種別情報に基づいて前記記憶部から消去する処理、又は、前記記憶部に保存する処理を選択的に実行することを特徴とする印刷方法。
【請求項４】
前記記憶部に保存する処理をともなう印刷処理を課金処理の完了後に実行することを特徴とする請求項３に記載の印刷方法。
【請求項５】
外部の出力装置から入力された印刷データを認証情報とともに記憶する記憶部、認証情報の入力操作を受け付ける印刷装置側入力部、及び、印刷データに基づいて印刷媒体に対する印刷処理を行う印刷部を備え、前記印刷装置側入力部において入力された認証情報似対応する印刷データを前記記憶部から読み出して前記印刷部に供給するとともに、前記出力装置から印刷データとともに入力された印刷データの種類を特定する種別情報に基づいて、印刷処理を終了した印刷データについて前記記憶部から消去する処理、又は、前記記憶部に保存する処理を選択的に実行することを特徴とする印刷装置。
【請求項６】
前記記憶部に保存する処理をともなう印刷処理を課金処理が完了した後に実行することを特徴とする請求項５に記載の印刷装置。
【請求項７】
特定の出力対象に提供すべき印刷データであるか不特定の出力対象に提供すべき印刷データであるかの種類を特定する種別情報、及び、印刷データを特定するための認証情報の入力を受け付ける出力装置側入力部を備え、該出力装置側入力部において入力された種別情報及び認証情報とともに印刷データを出力することを特徴とする出力装置。
【発明の詳細な説明】
【技術分野】
【０００１】
本発明は、不特定のユーザが使用可能な店舗等に設置され、パーソナルコンピュータ等によって構成される出力装置とディジタル複写機等によって構成される印刷装置とを含む印刷システム、この印刷システムにおいて実行される印刷方法、並びに、この印刷システムに含まれる印刷装置及び出力装置に関する。
【背景技術】
【０００２】
コンビニエンスストア等の店舗には、不特定の出力対象によって印刷装置として使用される状態でディジタル複写機等が設置されている。この印刷装置は、不特定の出力対象である店舗の顧客に対してだけでなく、特定の出力対象である店舗の店主や店員に対しても、印刷データに基づく印刷処理を施した印刷媒体を出力する。
【０００３】
店舗に設置された印刷装置を店員等が使用する際には、印刷データを外部に公開すべきでない場合があり、ディジタル複写機の近傍に顧客が存在していないことが要求される。また、印刷装置を顧客が使用する際には、単一の情報を複数の顧客が要求する場合があり、同一の印刷データを繰り返し印刷処理できるようにする必要がある。
【０００４】
そこで、従来の店舗等に設置される印刷装置では、外部の出力装置から入力された印刷データを印刷処理することなく固有の認証情報とともに記憶部に保持しておき、認証情報が入力された際に、入力された認証情報に対応する印刷データを記憶部から読み出して印刷媒体上に印刷する所謂ホールド処理を行うようにしたものがある（例えば、特許文献１参照。）。
【特許文献１】特開昭６２−００３３２２号公報
【発明の開示】
【発明が解決しようとする課題】
【０００５】
ホールド処理によって認証情報の入力を待って印刷媒体上に印刷される印刷データは、一般に、出力対象の相違等による印刷データの種類に応じて最適なホールド状態が異なる。しかしながら、従来の印刷装置では、印刷データの種類に応じて異なる状態でホールド処理を行うようにしたものがなかった。
【０００６】
例えば、特定の出力対象に提供すべき印刷データは印刷媒体上に印刷した後に記録部から消去すべきである場合が多いのに対して、不特定の出力対象に提供すべき印刷データは印刷媒体上に印刷した後にも記録部に保存しておく必要がある。
【０００７】
この発明の目的は、印刷データの種類に応じて各印刷データを最適な状態で記憶部にホールドすることができる印刷システム、印刷方法、印刷装置及び出力装置を提供することにある。
【課題を解決するための手段】
【０００８】
この発明は、上記の課題を解決するための手段として、以下の構成を備えている。
【０００９】
（１）印刷データの種類を特定する種別情報、及び、印刷データを特定するための認証情報の入力を受け付ける出力装置側入力部を備え、該出力装置側入力部において入力された種別情報及び認証情報とともに印刷データを出力する出力装置と、
前記出力装置から入力された印刷データを認証情報とともに記憶する記憶部、認証情報の入力操作を受け付ける印刷装置側入力部、及び、印刷データに基づいて印刷媒体に対する印刷処理を行う印刷部を備え、前記印刷装置側入力部において入力された認証情報に対応する印刷データを前記記憶部から読み出して前記印刷部に供給するとともに、印刷処理を終了した印刷データについて前記種別情報に基づいて前記記憶部から消去する処理、又は、前記記憶部に保存する処理を選択的に実行する印刷装置と、
を含むことを特徴とする。
【００１０】
この構成においては、印刷装置が、印刷データについての印刷処理が終了した後に、出力装置から入力された種別情報に基づいて、その印刷データを記憶部から消去する処理、又は、記憶部に保存する処理を選択的に実行する。したがって、印刷データの種類に応じて各印刷データが最適な状態で記憶部にホールドされる。
【００１１】
（２）前記記憶部に保存する処理をともなう印刷処理について課金処理を行う課金処理装置を含み、
前記印刷装置は、前記課金処理装置における課金処理が完了した後に、前記記憶部に保存する処理をともなう印刷処理を実行することを特徴とする。
【００１２】
この構成においては、印刷処理の終了後に記憶部に保存すべき印刷データについては、課金処理の完了を待って印刷処理が実行される。したがって、不特定の出力対象に有償で提供すべき印刷データに対して、課金処理及び印刷処理が適正に行われる。
【発明の効果】
【００１３】
本発明によれば、以下の効果が得られる。
【００１４】
（１）印刷データについての印刷処理が終了した後に、出力装置から入力された種別情報に基づいて、その印刷データを記憶部から消去する処理、又は、記憶部に保存する処理を選択的に実行することにより、印刷データの種類に応じて各印刷データを最適な状態で記憶部に格納することができる。
【００１５】
（２）印刷処理の終了後に記憶部に保存すべき印刷データについて、課金処理の完了を待って印刷処理を実行することにより、不特定の出力対象に有償で提供すべき印刷データに対して、課金処理及び印刷処理を適正に行うことができる。
【発明を実施するための最良の形態】
【００１６】
図１は、この発明の実施形態に係る印刷システムの構成を示す図である。印刷システム１０は、コンビニエンスストア等の店舗１００内に設置される。印刷システム１０は、この発明の印刷装置であるディジタル複写機１に、パーソナルコンピュータ（以下、ＰＣという。）２及び金銭処理装置３を接続して構成されている。
【００１７】
ディジタル複写機１は、顧客に対するコピー処理、ファックス送信処理及び画像情報提供処理、並びに、店員によるプリント処理に使用される。コピー処理では、顧客が持参した原稿から読み取った画像を用紙等の印刷媒体上に印刷する。ファックス送信処理では、顧客が持参した原稿の画像情報を公衆電話回線網２００を介して顧客が指定したファクス装置３００に送信する。画像情報提供処理では、予め記憶しているサービス用の印刷データのうちで顧客が指定した印刷データに基づく画像を印刷媒体上に印刷する。プリント処理では、予め記憶している業務用の印刷データのうちで店員が指定した印刷データに基づく画像を印刷媒体上に印刷する。
【００１８】
顧客に対するコピー処理、ファックス送信処理及び画像情報提供処理は、金銭処理装置３における課金処理に基づいて行われる。即ち、金銭処理装置３は、各処理の実行に先立って顧客による金銭の投入又は課金用カード（キャッシュカードやプリペイドカード等）の挿入を受け付け、投入金額やカードの使用限度額等の金額情報をディジタル複写機１に送信する。ディジタル複写機１は、コピー処理、ファックス送信処理及び画像情報提供処理について予め定められた単価情報を記憶している。ディジタル複写機１は、単価情報に基づいて金銭処理装置３から送信された金額情報を超えない範囲でコピー処理、ファックス送信処理及び画像情報提供処理に係る動作を実行する。
【００１９】
画像情報提供処理に係るサービス用の印刷データ及びプリント処理に係る業務用の印刷データは、ＰＣ２から予め送信される。サービス用であるか業務用であるかが、この発明の印刷データの種類に相当する。また、サービス用の印刷データはこの発明の不特定の出力対象（顧客）に提供すべき印刷データであり、業務用の印刷データは特定の出力対象（店員）に提供すべき印刷データである。ＰＣ２は、印刷データに少なくとも種別情報及び認証情報を付与してディジタル複写機１に送信する。種別情報は、各印刷データが提供用であるか店内用であるかを特定する情報である。認証情報は、各印刷データを特定するための情報であり、例えば４桁の数字によって構成されたコード番号である。顧客又は店員は、対応する認証番号をディジタル複写機１に入力することにより、所望の印刷データを選択する。
【００２０】
印刷装置であるディジタル複写機１は、印刷部１１、給紙部１２及び画像読取部１３から構成されている。印刷部１１は、一例として電子写真方式の画像形成動作によって印刷媒体上に画像を印刷する。給紙部１２は、印刷部１１に供給すべき印刷媒体を収納する。画像読取部１３は、手動操作によって原稿台上に載置された原稿、又は、原稿搬送装置１４が原稿台上に搬送した原稿の画像を読み取る。なお、原稿搬送装置１４は、画像読取部１３における図示しない原稿台の上面を開閉自在にして配置されている。
【００２１】
印刷部１１及び給紙部１２は、プロセスコントロールユニット（以下、ＰＣＵという。）１１１によって制御される。画像読取部１３はイメージコントロールユニット（以下、ＩＣＵという。）１３１によって制御される。原稿搬送装置１４は、オリジナルコントロールユニット（以下、ＯＣＵという。）１４１によって制御される。また、ディジタル複写機１には、キースイッチ及びディスプレイを備えた図示しない操作パネルが設けられている。この操作パネルは、オペレーションパネルコントロールユニット( 以下、ＯＰＣＵという。) １１２によって制御される。操作パネルのキースイッチ及びＯＰＣＵ１１２が、この発明の印刷装置側入力部に相当する。
【００２２】
ＰＣＵ１１１、ＩＣＵ１３１、ＯＣＵ１４１及びＯＰＣＵ１１２は、中央処理ユニット（以下、ＣＰＵという。）１１３によって統括して制御される。ＣＰＵ１１３には、ＲＯＭ及びＲＡＭからなるメモリ１１４、この発明の記憶部であるＨＤＤ１１５、公衆電話回線網２００を介してファックス装置３００との通信を行うファックスインタフェース１１６、及び、ＰＣ２に接続されたプリンタインタフェース１１７が接続されている。
【００２３】
この発明の出力装置であるＰＣ２は、本体２１、ディスプレイ２２、キーボード２３及びマウス２４を備えている。キーボード２３及びマウス２４は、この発明の出力装置側入力部に相当する。ＰＣ２は、ＣＤ−ＲＯＭやメモリカード等の記録媒体から印刷データを読み込むとともに、ＰＣ２内にインストールされているアプリケーションソフトによる印刷データの作成及び編集操作を受け付ける。読み取った印刷データや作成又は編集された印刷データは、本体２１内に格納された後、ディジタル複写機１に出力される。
【００２４】
金銭処理装置３は、ＲＯＭ３２及びＲＡＭ３３を備えたＣＰＵ３１からなる制御部３０を備えている。ＣＰＵ３１は、例えば、投入口３４から投入された硬貨の金額を算出し、金額データとしてディジタル複写機１に出力する。ディジタル複写機１のＣＰＵ１１３は、ＰＣ２から入力された印刷データを直ちに印刷するのではなく、ホールド機能により、一旦ハードディスク１１５内に格納する。そして、ＣＰＵ１１３は、操作パネルにおける特定のキースイッチの操作によって選択された印刷データをハードディスク１１５から読み出してＰＣＵ１１１に供給し、印刷部１１における印刷処理を行う。
【００２５】
図２は、上記印刷システムの出力装置であるＰＣにおける画像データの出力処理の表示画面の一例を示す図である。ＰＣ２において読込、作成又は編集が終了した画像データをディジタル複写機１に出力する場合に、実行中のアプリケーションソフトにおいて印刷処理が指示されると、ディスプレイ２２には実行中のアプリケーションソフトの表示画面Ｇ１に重ねて印刷用設定画面Ｇ２が表示される。この印刷用設定画面Ｇ２において印刷処理用のプリンタとしてディジタル複写機１が選択されている間に、プロパティボタン４０１をクリックすると、ＰＣ２にインストールされているディジタル複写機１のドライバソフトが画面Ｇ１及びＧ２に重ねてディジタル複写機１の詳細設定画面Ｇ３を表示する。
【００２６】
この詳細設定画面Ｇ３には、印刷データの種別情報、認証情報、課金情報及び保存情報の各入力部４１１〜４１４、ＯＫボタン４１６、キャンセルボタン４１７が表示される。
【００２７】
認証情報入力部４１１は、出力すべき印刷データが業務用印刷データであるかサービス用印刷データであるかの選択を受け付ける。認証情報入力部４１２は、出力すべき印刷データを特定するための認証情報としてのコードデータの入力を受け付ける。この認証情報は、ドライバソフトが自動的に付与することもできる。課金情報入力部４１３は、サービス用印刷データについて顧客から徴収すべき料金の入力を受け付ける。保存情報入力部４１４は、サービス用印刷データについて、ハードディスク１１５における保存期間の入力を受け付ける。
【００２８】
なお、印刷データの課金情報及び保存情報の入力部４１３，４１４については必須ではない。サービス用印刷データの単価、及び、サービス用印刷データの保存期間をデフォルトとして一律に設定しておくことにより、各印刷データについての課金情報及び保存情報の全部又は一部の入力を省略できる。ＯＫボタン４１６及びキャンセルボタン４１７については後述する。
【００２９】
ディジタル複写機１のドライバソフトは、詳細設定画面Ｇ３において印刷データの種別情報、認証情報、課金情報及び保存情報の全部又は一部が入力された後にＯＫボタン４１６がクリックされると、表示画面Ｇ１に表示中の印刷データにこれらの情報を付与し、詳細設定画面Ｇ３を閉じる。次いで、印刷用設定画面Ｇ２においてＯＫボタン４０２がクリックされると、ディジタル複写機１のドライバソフトが、所定の情報を付与した印刷データをディジタル複写機１に出力する。
【００３０】
このように、ディジタル複写機１のドライバソフトによって表示される詳細設定画面Ｇ３において種別情報等の入力を受け付けることにより、ＰＣ２における画像読込、作成又は編集作業時に使用されるアプリケーションソフトの種類に拘らず、ＰＣ２からディジタル複写機１に出力すべき印刷データに種別情報等を容易に付与することができる。
【００３１】
なお、ディジタル複写機１に専用の画像読込、作成及び編集用のアプリケーションソフトをＰＣ２にインストールしておき、このアプリケーションソフトの印刷用設定画面において種別情報等の入力を受け付けることもできる。
【００３２】
図３は、上記印刷システムの印刷装置であるディジタル複写機における印刷データの格納状態を示す図である。ハードディスク１１５には、印刷データを格納する領域とは別に、図３（Ａ）及び（Ｂ）に示す業務用印刷データテーブルＴＢ１及びサービス用印刷データテーブルＴＢ２が備えられている。ＣＰＵ１１３は、ＰＣ２から入力された印刷データを種別情報を参照して業務用印刷データとサービス用印刷データとに分類し、各印刷データに付与されている認証情報、課金情報及び保存情報をテーブルＴＢ１及びＴＢ２の何れかに格納する。
【００３３】
業務用印刷データテーブルＴＢ１は、各業務用印刷データに係る入力日時、コード番号（認証情報）、ファイル名及び作成者名の項目によって構成されている。サービス用印刷データテーブルＴＢ２は、各サービス用印刷データに係る入力日時、コード番号（認証情報）、ファイル名、枚数及び単価（課金情報）の項目によって構成されている。なお、ファイル名、作成者名及び枚数は、印刷データに一般的に付与される情報である。
【００３４】
テーブルＴＢ１及びＴＢ２を構成する項目は、少なくとも認証情報を含むことを条件に、図３（Ａ）及び（Ｂ）に示す例に限るものではない。例えば、サービス用印刷データテーブルを構成する項目には、保存情報を含めることができる。
【００３５】
テーブルＴＢ１及びＴＢ２は、ディジタル複写機１の操作パネルに含まれるディスプレイに表示される。即ち、店員又は顧客がディジタル複写機１の操作パネルにおける所定のキースイッチを操作することにより、ディジタル複写機１内にホールド機能によって格納されている印刷データの出力を選択すると、ＣＰＵ１１３はテーブルＴＢ１又はＴＢ２の内容をＯＰＣＵ１１２に供給し、ＯＰＣＵ１１２はテーブルＴＢ１又はＴＢ２の内容を操作パネル内のディスプレイに表示する。
【００３６】
ＯＰＣＵ１１２は、ディスプレイにテーブルＴＢ１又はＴＢ２の内容を表示している間に、店員又は顧客による単一の印刷データの選択操作を受け付ける。この選択操作は、例えば、操作パネル内のキースイッチの操作による認証情報の入力によってなされる。この場合、ディスプレイには少なくとも認証情報が表示されればよく、テーブルＴＢ１及びＴＢ２を構成する項目の全てを表示する必要は必ずしもない。
【００３７】
なお、ディスプレイ上にタッチパネルを配置しておき、店員又は顧客がディスプレイに表示されているファイル名に基づいて出力を所望する印刷データをタッチパネルの押圧操作によって選択するようにしてもよい。この場合、ディスプレイには少なくともファイル名を表示する必要があるが、認証情報としてのコード番号を表示する必要はない。
【００３８】
図４及び図５は、この発明の印刷方法を説明するフローチャートである。図４は上記印刷システムを構成するＰＣにおける処理手順を示し、図５は同ディジタル複写機における処理手順を示している。ＰＣ２において、読込、作成又は編集等による印刷データの準備が完了し（Ｓ１）、ディジタル複写機１によるプリント出力が選択されると（Ｓ２）、ＰＣ２は、ディスプレイ２２に図２に示した詳細設定画面Ｇ３を表示して印刷データに付与すべき情報の入力を受け付ける（Ｓ３）。この時、詳細設定画面Ｇ３においてはキャンセルボタン４１７及び種別情報入力部４１１のみが有効にされており、ＰＣ２は最初に種別情報の入力を受け付ける（Ｓ４）。
【００３９】
種別情報として業務用印刷データである旨が入力されると、ＰＣ２は、認証情報入力部４１２を有効にし、認証情報の入力を受け付ける（Ｓ５→Ｓ６）。前述のように、認証情報としてのコード番号はＰＣ２が自動的に割り当てることとしてＳ６の処理を省略することもできる。
【００４０】
認証情報が入力されると、ＰＣ２は、ＯＫボタン４１６がクリックされるのを待って、印刷データに種別情報及び認証情報を付与した後、この印刷データをディジタル複写機１に出力する（Ｓ７〜Ｓ９）。キャンセルボタン４１７が操作された場合には、ＰＣ２は、種別情報入力部４１１及び認証情報入力部４１２をクリアしてＳ２に戻る（Ｓ１０→Ｓ２）。
【００４１】
種別情報としてサービス用印刷データである旨が入力されると、ＰＣ２は、認証情報入力部４１２、課金情報入力部４１３及び保存情報入力部４１４を有効にし、認証情報、課金情報及び保存情報の入力を受け付ける（Ｓ５→Ｓ１１〜Ｓ１３）。前述のように、認証情報としてのコード番号はＰＣ２が自動的に割り当てることとし、サービス用印刷データの単価を示す課金情報、及び、印刷データを印刷処理後に消去するタイミングを決定する保存情報はデフォルト値を設定することとしてＳ１１〜Ｓ１３の処理を省略することもできる。
【００４２】
認証情報、課金情報及び保存情報が入力されると、ＰＣ２は、ＯＫボタン４１６がクリックされるのを待って、印刷データに種別情報、認証情報、課金情報及び保存情報を付与した後、この印刷データをディジタル複写機１に出力する（Ｓ１４〜Ｓ１６）。キャンセルボタン４１７が操作された場合には、ＰＣ２は、種別情報入力部４１１、認証情報入力部４１２、課金情報入力部４１３及び保存情報入力部４１４をクリアしてＳ２に戻る（Ｓ１７→Ｓ２）。
【００４３】
ディジタル複写機１のＣＰＵ１１３は、ＰＣ２から印刷データの入力を受けると、その印刷データに付与されている種別情報を読み取る（Ｓ３１，Ｓ３２）。入力された印刷データが業務用印刷データである場合には、ＣＰＵ１１３は、ハードディスク１１５における印刷データの記憶領域内の新たな領域にその印刷データを少なくとも認証情報とともに格納する（Ｓ３３，Ｓ３４）。さらに、ＣＰＵ１１３は、入力された印刷データに付与されている情報を業務用印刷データテーブルＴＢ１に格納する（Ｓ３５）。
【００４４】
入力された印刷データがサービス用印刷データである場合には、ＣＰＵ１１３は、ハードディスク１１５における印刷データの記憶領域内の新たな領域にその印刷データを少なくとも認証情報とともに格納する（Ｓ３７）。さらに、ＣＰＵ１１３は、入力された印刷データに付与されている情報をサービス用印刷データテーブルＴＢ２に格納する（Ｓ３８）。
【００４５】
ディジタル複写機１内に格納されている印刷データの出力を所望する店員又は顧客は、操作パネルにおいて種別情報及び認証情報を入力してプリントスイッチを操作する。ＣＰＵ１１３は、操作パネル内のプリントスイッチが操作されると、業務用印刷データ又はサービス用印刷データの何れが選択されているかの判別を行う（Ｓ４１，Ｓ４２）。
【００４６】
なお、顧客が出力を所望するサービス用印刷データを特定する認証情報がコード番号である場合、サービス用印刷データとコード番号との対応関係は、例えば、ディジタル複写機１の近傍に掲示すること、又は、ディジタル複写機１が備える大型のディスプレイに表示することで、顧客に認識させることができる。
【００４７】
業務用印刷データが選択されている場合には、ＣＰＵ１１３は、入力された認証情報に一致する印刷データをハードディスク１１５から読み出してＰＣＵ１１１に供給し、印刷データに基づく印刷処理を実行する（Ｓ４３）。この印刷処理が終了すると、ＣＰＵ１１３は、ハードディスク１１５内の印刷データを消去する（Ｓ４４）。このとき、ＣＰＵ１１３は、業務用印刷データテーブルＴＢ１からも該当するデータを消去する。
【００４８】
サービス用印刷データが選択されている場合には、ＣＰＵ１１３は、入力された認証情報に一致する印刷データに付与されている課金情報を読み出し（Ｓ４５）、金銭処理機３から送信された金額情報に基づく課金処理の完了を待って、入力された認証情報に一致する印刷データをハードディスク１１５から読み出してＰＣＵ１１１に供給し、印刷データに基づく印刷処理を実行する（Ｓ４６，Ｓ４７）。
【００４９】
なお、ＣＰＵ１１３は、入力さた認証情報に一致する印刷データがハードディスク１１５に存在しない場合には、印刷データが存在しない旨のメッセージを操作パネル内のディスプレイに表示する。
【００５０】
また、ＣＰＵ１１３は、処理動作の待機中に、所定のタイミングでサービス用印刷データテーブルＴＢ２における保存情報を参照し、ハードディスク１１５から消去すべきタイミングが到来したサービス用印刷データをハードディスク１１５から消去する。
【００５１】
以上のようにして、印刷システム１０においては、印刷処理に係る印刷データが出力結果を特定の出力対象である店員に１回のみ提供すべき業務用印刷データであるか、又は、出力結果を不特定の出力対象である顧客に繰り返し提供すべきサービス用印刷データであるかの印刷データの種類に応じて、印刷処理後にハードディスク１１５において消去する処理又は継続して保存する処理が選択的に行われる。したがって、印刷データをその種類に応じて最適な状態でディジタル複写機１内に保存することができる。
【図面の簡単な説明】
【００５２】
【図１】この発明の実施形態に係る印刷システムの構成を示す図である。
【図２】上記印刷システムの出力装置であるＰＣにおける画像データの出力処理の表示画面の一例を示す図である。
【図３】上記印刷システムの印刷装置であるディジタル複写機における印刷データの格納状態を示す図である。
【図４】上記印刷システムを構成するＰＣにおける処理手順を示すフローチャートである。
【図５】上記印刷システムを構成するディジタル複写機における処理手順を示すフローチャートである。
【符号の説明】
【００５３】
１  ディジタル複写機（印刷装置）
２  ＰＣ（出力装置）
１０  印刷システム
１１  印刷部
２３  キーボード（出力装置側入力部）
２４  マウス（出力装置側入力部）
１１２  ＯＰＣＵ（印刷装置側入力部）
１１３  ＣＰＵ
１１５  ハードディスク
【図１】
2005349642.tif 000003
【図２】
2005349642.tif 000004
【図３】
2005349642.tif 000005
【図４】
2005349642.tif 000006
【図５】
2005349642.tif 000007